(57)【要約】【課題】簡単な構成で表示画面を複数の領域に分割し、それぞれに異なるコンテンツを表示する。【解決手段】表示コンテンツ出力装置は、複数の表示コンポーネント５を含み、コンテンツ１４とコマンド１５とを含むコンテンツ情報１３をコンテンツ提供サーバ１２から取得する。コンテンツ情報１３からコンテンツ１４を抽出し、コマンド１５を抽出し、第２の表示コンポーネント５へコマンド１５を送信し、第２の表示コンポーネント５は、第１の表示コンポーネント５から受信したコマンド１５を実行する。【選択図】図１
2013008239.tif 000002
【特許請求の範囲】
【請求項１】
複数に分割した表示領域のそれぞれに表示コンポーネントを割り当てることで、情報提供サーバから取得される複数のコンテンツを前記表示領域のそれぞれに表示する表示コンテンツ出力装置であって、
第１の表示コンポーネントは、
前記コンテンツと当該第１の表示コンポーネントとは異なる第２の表示コンポーネントの動作を規定するコマンドとを少なくとも含むコンテンツ情報を前記情報提供サーバから取得するコンテンツ情報取得手段と、
前記コンテンツ情報取得手段が取得した前記コンテンツ情報から当該第１の表示コンポーネントに対応する前記表示領域に表示する前記コンテンツを抽出し、当該表示領域に表示するコンテンツ処理手段と、
前記コンテンツ情報取得手段が取得した前記コンテンツ情報から前記コマンドを抽出し、前記第２の表示コンポーネントへ送信する第１のコマンド処理手段とを備え、
前記第２の表示コンポーネントは、
前記第１の表示コンポーネントから受信した前記コマンドを実行する第２のコマンド処理手段を備えたことを特徴とする表示コンテンツ出力装置。
【請求項２】
前記コマンドは、前記第２の表示コンポーネントに、当該第２の表示コンポーネントに対応する前記表示領域に表示すべき前記コンテンツを取得させ、当該表示領域に表示させる指示を含むことを特徴とする請求項１に記載の表示コンテンツ出力装置。
【請求項３】
前記コマンドは、前記第２の表示コンポーネントに対応する前記表示領域を非表示にさせる指示を含むことを特徴とする請求項１または２に記載の表示コンテンツ出力装置。
【請求項４】
前記第１の表示コンポーネントおよび前記第２の表示コンポーネントの少なくとも一方は、対応する表示領域が割り当てられた時に、当該領域サイズが指定されることを特徴とする請求項１から３のいずれか１項に記載の表示コンテンツ出力装置。
【請求項５】
請求項１から４のいずれか１項に記載の表示コンテンツ出力装置を備えたことを特徴とする電子機器。
【請求項６】
請求項１から４のいずれか１項に記載の表示コンテンツ出力装置からのコンテンツ要求に応答して、前記コンテンツ情報を前記表示コンテンツ出力装置に送信する情報提供サーバであって、
前記表示コンテンツ出力装置から送信される前記コンテンツ要求を取得するリクエスト取得手段と、
前記コンテンツ要求に対応する前記コンテンツ情報を前記表示コンテンツ出力装置に送信するリクエスト処理手段とを備えたことを特徴とする情報提供サーバ。
【請求項７】
請求項５に記載の電子機器と、請求項６に記載の情報提供サーバから構成されることを特徴とする通信システム。
【請求項８】
複数に分割した表示領域のそれぞれに表示コンポーネントを割り当てることで、情報提供サーバから取得される複数のコンテンツを前記表示領域のそれぞれに表示する表示コンテンツ出力装置の制御方法であって、
第１の表示コンポーネントにおいて、
前記コンテンツと当該第１の表示コンポーネントとは異なる第２の表示コンポーネントの動作を規定するコマンドとを少なくとも含むコンテンツ情報を前記情報提供サーバから取得するコンテンツ情報取得ステップと、
前記コンテンツ情報取得ステップにて取得した前記コンテンツ情報から当該第１の表示コンポーネントに対応する前記表示領域に表示する前記コンテンツを抽出し、当該表示領域に表示するコンテンツ処理ステップと、
前記コンテンツ情報取得ステップにて取得した前記コンテンツ情報から前記コマンドを抽出し、前記第２の表示コンポーネントへ送信する第１のコマンド処理ステップとを含み、
前記第２の表示コンポーネントにおいて、
前記第１の表示コンポーネントから受信した前記コマンドを実行する第２のコマンド処理ステップを含むことを特徴とする表示コンテンツ出力装置の制御方法。
【請求項９】
請求項１から４のいずれか１項に記載の表示コンテンツ出力装置、または請求項６に記載の情報提供サーバを動作させるための制御プログラムであって、コンピュータを前記各手段として機能させるための制御プログラム。
【請求項１０】
請求項９に記載の制御プログラムを記録したコンピュータ読み取り可能な記録媒体。
【発明の詳細な説明】
【技術分野】
【０００１】
本発明は、情報提供サーバから提供されるコンテンツを表示するための装置等に関するものである。
【背景技術】
【０００２】
近年、表示画面を備えた電子機器が急速に普及しており、こうした機器からのアクセスを前提としたコンテンツが増加している。電子機器にコンテンツを提供するにあたっては、インターフェースを工夫することが重要となる。特に、携帯型の電子機器では、表示画面の大きさや操作キーの個数が限られているなどのハードウェア的な制約が大きく、ユーザの操作負担の軽減と直感的な操作とが強く要請されるからである。
【０００３】
ここで、表示画面を複数の領域に分割し、それぞれの領域で異なるコンテンツを表示する例を、図１１に基づいて説明する。図１１は、ウェブブラウザでウェブページを表示する際に、画面を分割して表示する場合としない場合との具体例を示す説明図であり、図１１（ａ）は画面を分割せず、一画面すべてがコンテンツ領域２３で占められる場合、図１１（ｂ）は画面を２つに分割し、上側がコンテンツ領域２３として、下側がフッタ領域２４として割り当てられる場合を示す。
【０００４】
同図（ｂ）の場合、ユーザはフッタ領域２４に表示されたアイコン２６を選択することにより、例えばコンテンツ領域２３の表示を簡単に切り替えることができる。すなわち、同図（ａ）のように、一画面すべてを単一の領域に割り当て、すべてのコンテンツを当該領域に表示するのではなく、コンテンツを表示する領域とナビゲーションを表示する領域とに分割し、ユーザが頻繁に使用する操作をアイコン２６としてまとめてフッタ領域２４に表示することで、操作性の良い優れたインターフェースを実現できる。
【０００５】
ここで、下記の特許文献１には、コンテンツの新着情報をフレーム構成情報で表される表示形態で端末装置に表示させる技術が開示されている。この技術によれば、同文献の図１５および図１７に示されるように、ＨＴＭＬ（Hyper Text Mark-up Language）に規定されるフレーム機能を用いて表示領域を分割し、各領域にサーバが提供するアプリケーションを所定の基準で分類して表示できる。図１１（ｂ）の例のように、表示画面を複数の領域に分割するという点で関連した技術と言える。
【０００６】
また、下記の特許文献２には、ユーザ同士が協調作業をするためのインターフェースとして利用するウェブブラウザに関する技術が開示されている。この技術によれば、複数のユーザが１つのデータを編集する場合に、コンテンツ（各ユーザが編集した内容）に矛盾が生じないように同期をとってウェブブラウザに表示できる。図１１（ｂ）の例のように、各領域でコンテンツの表示に同期をとるという点で関連した技術と言える。
【先行技術文献】
【特許文献】
【０００７】
【特許文献１】特開２００４−１６５８３６号公報（平成１６年６月１０日公開）
【特許文献２】特開２０１０−２２５１０６号公報（平成２２年１０月７日公開）
【発明の概要】
【発明が解決しようとする課題】
【０００８】
上記の図１１（ａ）で示される例のように、電子機器の表示画面とそれに表示すべきコンテンツとが一対一で対応する場合、ウェブブラウザは当該コンテンツをサーバから取得し、コンテンツ領域２３に表示するだけで足りるため、従来技術でも問題は生じない。一方、同図（ｂ）で示される例のように、表示画面が複数の領域に分割され、表示画面とそれに表示すべきコンテンツとが一対多で対応する場合（分割された各領域で異なるコンテンツを表示させる場合）、次のような問題が考えられる。
【０００９】
第一に、電子機器に実装されるウェブブラウザには、画面分割を行うための機能が十分でないことがある。すなわち、表示画面の領域分割は、（１）ＨＴＭＬに規定されるフレーム機能、または（２）スタイルシートを用いたデザインにより実現されることが一般的であるが、特に携帯型の電子機器に実装されるウェブブラウザにフレーム機能自体が実装されていない、またはスタイルシートの解釈が厳密でなく表示結果がウェブブラウザの種類に大きく依存することがあるため、各領域に表示されるコンテンツに連動する領域分割ができない場合があるという問題がある。
【００１０】
第二に、冗長なデータ通信が発生するという問題が考えられる。すなわち、上記（１）のフレーム機能を用いた場合、ウェブブラウザはフレームとして複数の領域に分割することや各領域で取得すべきコンテンツを定義したデータを取得した後に、指定された態様で領域分割を行い、各コンテンツをそれぞれ取得する。したがって、本来必要となる各コンテンツだけでなく、最初に定義データを取得する必要があるため通信に無駄が生じる。
【００１１】
一方、上記（２）のスタイルシートを用いた場合、１つの領域のみで表示を更新する場合であっても、表示を変更する必要のない他の領域まで更新する必要があるため、やはり通信に無駄が生じる。すなわち、例えば図１１（ｂ）の例において、コンテンツ領域２３の表示のみを更新する場合でも、この更新に伴ってフッタ領域２４の更新も必要となる。
【００１２】
上記の特許文献１に開示されている技術は、主にパーソナルコンピュータ（ＰＣ）などのクライアントマシンを動作対象としているところ、比較的計算資源に余裕のあるＰＣなどの電子機器においては、表示領域の分割に係る上記の問題が発生することは少ない。実際、同文献に記載の発明は上記の問題を課題として解決するものではないため、これらの問題へ対処することについては記載がない。なお、上記の特許文献２に開示されている技術は、表示画面を分割する技術に係るものではないため、上記の課題を解決できない。
【００１３】
本発明は、上記の問題点に鑑みてなされたものであり、その目的は、冗長な通信を発生させることなく、簡単な構成で表示画面を複数の表示領域に分割し、ある領域に対応付けられた表示コンポーネントが、他の領域に対応付けられた表示コンポーネントに所定のコマンドを実行させる（例えば、あるコンテンツが他のコンテンツに連動するように各領域に異なるコンテンツを表示させる）ことができる表示コンテンツ出力装置等を提供することである。
【課題を解決するための手段】
【００１４】
上記の課題を解決するために、本発明の表示コンテンツ出力装置は、
（１）複数に分割した表示領域のそれぞれに表示コンポーネントを割り当てることで、情報提供サーバから取得される複数のコンテンツを前記表示領域のそれぞれに表示する表示コンテンツ出力装置であって、
（２）第１の表示コンポーネントは、
（２−１）前記コンテンツと当該第１の表示コンポーネントとは異なる第２の表示コンポーネントの動作を規定するコマンドとを少なくとも含むコンテンツ情報を前記情報提供サーバから取得するコンテンツ情報取得手段と、
（２−２）前記コンテンツ情報取得手段が取得した前記コンテンツ情報から当該第１の表示コンポーネントに対応する前記表示領域に表示する前記コンテンツを抽出し、当該表示領域に表示するコンテンツ処理手段と、
（２−３）前記コンテンツ情報取得手段が取得した前記コンテンツ情報から前記コマンドを抽出し、前記第２の表示コンポーネントへ送信する第１のコマンド処理手段とを備え、
（３）前記第２の表示コンポーネントは、
（３−１）前記第１の表示コンポーネントから受信した前記コマンドを実行する第２のコマンド処理手段を備えたことを特徴としている。
【００１５】
また、上記の課題を解決するために、本発明の表示コンテンツ出力装置の制御方法は、
（１）複数に分割した表示領域のそれぞれに表示コンポーネントを割り当てることで、情報提供サーバから取得される複数のコンテンツを前記表示領域のそれぞれに表示する表示コンテンツ出力装置の制御方法であって、
（２）第１の表示コンポーネントにおいて、
（２−１）前記コンテンツと当該第１の表示コンポーネントとは異なる第２の表示コンポーネントの動作を規定するコマンドとを少なくとも含むコンテンツ情報を前記情報提供サーバから取得するコンテンツ情報取得ステップと、
（２−２）前記コンテンツ情報取得ステップにて取得した前記コンテンツ情報から当該第１の表示コンポーネントに対応する前記表示領域に表示する前記コンテンツを抽出し、当該表示領域に表示するコンテンツ処理ステップと、
（２−３）前記コンテンツ情報取得ステップにて取得した前記コンテンツ情報から前記コマンドを抽出し、前記第２の表示コンポーネントへ送信する第１のコマンド処理ステップとを含み、
（３）前記第２の表示コンポーネントにおいて、
（３−１）前記第１の表示コンポーネントから受信した前記コマンドを実行する第２のコマンド処理ステップを含むことを特徴としている。
【００１６】
表示コンテンツ出力装置に含まれる第１の表示コンポーネントは、情報提供サーバからコンテンツ情報を取得できる。ここで、コンテンツ情報には、当該第１の表示コンポーネントに対応する表示領域に表示させるコンテンツと、第２の表示コンポーネントの動作を規定するコマンドとが含まれている。そして、第１の表示コンポーネントは、当該表示領域に当該コンテンツを表示させるとともに、第２の表示コンポーネントへ当該コマンドを送信する。
【００１７】
コマンドを受信した第２の表示コンポーネントは、当該コマンドの指示にしたがって所定の動作を実行する。例えば、当該第２の表示コンポーネントに対応する表示領域に表示させるコンテンツと関連付けられたコンテンツを、指定された情報提供サーバから取得して表示したり、特定のコマンド群をさらに実行したりする。
【００１８】
なお、本願でいう「コマンド」とは、第２の表示コンポーネントに動作を指示するものをいう。例えば、「コマンド」は、第２の表示コンポーネントの動作を規定するＡＰＩ（Application Programming Interface）を指定することであってよく、「コマンドを送信する」ことには、当該ＡＰＩをコールすることが含まれる。
【００１９】
上記の構成により、本発明の表示コンテンツ出力装置は、起点となる第１の表示コンポーネント（コマンドの送信側）が指定した処理を、後続する第２の表示コンポーネント（コマンドの受信側）に実行させることができる。例えば、第１の表示コンポーネントに対応する表示領域に表示されるコンテンツに連動するコンテンツを、第２の表示コンポーネントに対応する表示領域に表示させることができる。
【００２０】
また、後続の表示コンポーネントは、起点となった表示コンポーネントから連鎖的に処理が与えられ、必要な処理が内部で完結するため冗長なデータ通信が発生しない。
【００２１】
また、前記表示コンテンツ出力装置では、
（１）前記コマンドは、前記第２の表示コンポーネントに、当該第２の表示コンポーネントに対応する前記表示領域に表示すべき前記コンテンツを取得させ、当該表示領域に表示させる指示を含むことが望ましい。
【００２２】
上記のコマンドには、起点となる第１の表示コンポーネントに対応する表示領域に表示させるコンテンツと関連付けられたコンテンツを、指定された情報提供サーバから取得して表示させるものが含まれる。これにより、本発明の表示コンテンツ出力装置は、第１の表示コンポーネントに対応する表示領域に表示されるコンテンツと連動したコンテンツを第２の表示コンポーネントに対応する表示領域に表示させることができる。
【００２３】
また、前記表示コンテンツ出力装置では、
（１）前記コマンドは、前記第２の表示コンポーネントに対応する前記表示領域を非表示にさせる指示を含むことが望ましい。
【００２４】
上記のコマンドには、後続の表示コンポーネントを非表示にさせるものが含まれる。これにより、本発明の表示コンテンツ出力装置は、領域分割が必要ない場合に不必要な領域を非表示にし、必要となる領域のみを表示させることができる。
【００２５】
また、前記表示コンポーネントは、
（１）前記第１の表示コンポーネントおよび前記第２の表示コンポーネントの少なくとも一方は、対応する表示領域が割り当てられた時に、当該領域サイズが指定されることが望ましい。
【００２６】
上記の構成により、本発明の表示コンテンツ出力装置は、表示コンポーネントと表示領域とを対応付ける時、当該領域を指定されたサイズに設定できる。したがって、より柔軟な表示領域の分割を実現できる。
【００２７】
また、本発明の電子機器は、
（１）前記表示コンテンツ出力装置を備えたことを特徴としている。
【００２８】
上記の構成によれば、電子機器が前記表示コンテンツ出力装置を備えていることにより、冗長な通信を発生させることなく、各表示領域のコンテンツが互いに連動する領域分割を簡単な構成で実現できる。
【００２９】
また、本発明の情報提供サーバは、
（１）前記表示コンテンツ出力装置からのコンテンツ要求に応答して、前記コンテンツ情報を前記表示コンテンツ出力装置に送信する情報提供サーバであって、
（２）前記表示コンテンツ出力装置から送信される前記コンテンツ要求を取得するリクエスト取得手段と、
（３）前記コンテンツ要求に対応する前記コンテンツ情報を前記表示コンテンツ出力装置に送信するリクエスト処理手段とを備えたことを特徴としている。
【００３０】
上記の構成によれば、本発明の情報提供サーバは、上記の表示コンテンツ出力装置からのコンテンツ要求に応答して、必要なコンテンツ情報を特定し、特定したコンテンツ情報をレスポンスとして表示コンテンツ出力装置に送信する。前述の通り、当該コンテンツ情報には、表示コンポーネントが表示させるコンテンツだけでなく、これらの動作を規定するコマンドが含まれる。したがって、上記の情報提供サーバは、上記の表示コンテンツ出力装置に適したコンテンツ情報を提供できる。
【００３１】
また、本発明の通信システムは、
（１）前記電子機器と、前記情報提供サーバから構成されることを特徴としている。
【００３２】
上記の構成によれば、冗長な通信を発生させることなく、各表示領域のコンテンツが互いに連動する領域分割を簡単な構成で実現できる。
【００３３】
なお、前記表示コンテンツ出力装置および前記情報提供サーバは、コンピュータによって実現してもよく、この場合には、コンピュータを前記表示コンテンツ出力装置または前記情報提供サーバの各手段として動作させることにより、前記表示コンテンツ出力装置または前記情報提供サーバをコンピュータにて実現させる制御プログラム、及びそれを記録したコンピュータ読み取り可能な記録媒体も本発明の範疇に入る。
【発明の効果】
【００３４】
以上のように、本発明の表示コンテンツ出力装置は、第１の表示コンポーネントは、コンテンツと当該第１の表示コンポーネント以外の第２の表示コンポーネントの動作を規定するコマンドとを少なくとも含むコンテンツ情報を前記情報提供サーバから取得するコンテンツ情報取得手段と、前記コンテンツ情報取得手段が取得した前記コンテンツ情報から当該第１の表示コンポーネントに対応する前記表示領域に表示する前記コンテンツを抽出し、当該表示領域に表示するコンテンツ処理手段と、前記コンテンツ情報取得手段が取得した前記コンテンツ情報から前記コマンドを抽出し、前記第２の表示コンポーネントへ送信する第１のコマンド処理手段とを備え、前記第２の表示コンポーネントは、前記第１の表示コンポーネントから受信した前記コマンドを実行する第２のコマンド処理手段を備えた構成である。
【００３５】
また、本発明の表示コンテンツ出力装置の制御方法は、第１の表示コンポーネントは、コンテンツと当該第１の表示コンポーネント以外の第２の表示コンポーネントの動作を規定するコマンドとを少なくとも含むコンテンツ情報を前記情報提供サーバから取得するコンテンツ情報取得ステップと、前記コンテンツ情報取得ステップが取得した前記コンテンツ情報から当該第１の表示コンポーネントに対応する前記表示領域に表示する前記コンテンツを抽出し、当該表示領域に表示するコンテンツ処理ステップと、前記コンテンツ情報取得ステップが取得した前記コンテンツ情報から前記コマンドを抽出し、前記第２の表示コンポーネントへ送信する第１のコマンド処理ステップとを含み、前記第２の表示コンポーネントは、前記第１の表示コンポーネントから受信した前記コマンドを実行する第２のコマンド処理ステップを含む構成である。
【００３６】
したがって、冗長な通信を発生させることなく、簡単な構成で表示画面を複数の表示領域に分割し、ある表示領域に対応付けられた表示コンポーネントが、他の表示領域に対応付けられた表示コンポーネントに所定のコマンドを実行させることができるという効果を奏する。
【図面の簡単な説明】
【００３７】
【図１】本発明の一実施の形態に係る表示コンテンツ出力装置を内蔵した携帯型通信機器の要部構成を示すブロック図である。
【図２】上記表示コンテンツ出力装置と、本発明の一実施の形態におけるコンテンツ提供サーバとを含む通信システムの動作例の概要を、模式的に表したものである。
【図３】上記携帯型通信機器と上記コンテンツ提供サーバとの関係を示すことにより、上記通信システムの構成を概略的に示す説明図である。
【図４】上記コンテンツ提供サーバの要部構成を示すブロック図である。
【図５】上記携帯型通信機器の外観例を２つ表したものであり、（ａ）は表示部および電源スイッチを含むもの、（ｂ）は操作スイッチおよびポインティングデバイスをさらに含むものを示す。
【図６】本発明の一実施形態に係る表示コンテンツ出力装置を内蔵する携帯型通信機器のより詳細な構成を示すブロック図である。
【図７】コンテンツ情報の内容を表した模式図である。
【図８】図１１（ｂ）とは異なる構成で分割された表示画面の一例を示す。
【図９】図１１（ｂ）とは異なる構成を有するフッタ領域の一例を示す。
【図１０】上記携帯型通信機器および上記コンテンツ提供サーバが実行する処理の一例を示すフローチャートである。
【図１１】ウェブブラウザでウェブページを表示する際に、画面を分割して表示する場合としない場合との具体例を示す説明図であり、（ａ）は画面を分割せず、一画面すべてがコンテンツ領域で占められる場合、（ｂ）は画面を２つに分割し、上側がコンテンツ領域として、下側がフッタ領域として割り当てられる場合を示す。
【発明を実施するための形態】
【００３８】
以下、本発明の実施の形態について、図１〜図１０に基づいて詳細に説明する。なお、以下で説明する実施の形態では、本実施の形態に係る表示コンテンツ出力装置１１を内蔵した電子機器として携帯型通信機器（電子機器）１００を、ＨＴＴＰリクエストを受け付けてレスポンスにコンテンツを返すＷｅｂサーバとして、コンテンツ提供サーバ（情報提供サーバ）１２をそれぞれ想定する。また、携帯型通信機器１００およびコンテンツ提供サーバ１２を含むシステム全体として、通信システム１を想定する。
【００３９】
〔概要〕
図２に基づいて、携帯型通信機器１００、コンテンツ提供サーバ１２、およびこれらを含む通信システム１の概要について説明する。図２は、携帯型通信機器１００とコンテンツ提供サーバ１２とを含む通信システム１の動作例の概要を、模式的に表したものである。なお、説明を簡潔に記述するために、１つの符号にａ、ｂが付されることにより２つ以上存在することが明示されている構成については、これらを省略して当該構成を総称することがある（例えば、表示コンポーネント５ａおよび５ｂを、表示コンポーネント５と総称することがある）。
【００４０】
本実施の形態では、表示部４の表示領域はコンテンツ領域（表示領域）２３とフッタ領域（表示領域）２４とに分割されており、一方のコンテンツが他方のコンテンツに連動するように互いに異なるコンテンツを表示する。まず、表示コンテンツ出力装置１１は、各領域を処理するコンポーネントとして表示コンポーネント５ａおよび５ｂをそれぞれに割り当てる。次に、表示コンポーネント５ａは、コンテンツ領域２３に表示させるコンテンツ情報１３ａについてのリクエスト（コンテンツ要求）１６ａを、コンテンツ提供サーバ１２に送信する（図２における（１）の矢印）。リクエスト１６ａを受信したコンテンツ提供サーバ１２は、これに対するレスポンスとしてコンテンツ情報１３ａを表示コンポーネント５ａに送信する（同図における（２）の矢印）。
【００４１】
このコンテンツ情報１３ａには、コンテンツ領域２３に表示すべきコンテンツだけでなく、フッタ領域２４に対するコマンド１５も含まれている。表示コンポーネント５ａは、コマンド１５で定義される指示を、表示コンポーネント５ｂに送信する（同図における（３）の矢印）。ここで、コマンド１５は、表示コンポーネント５ｂに、例えばコンテンツ提供サーバ１２からコンテンツ領域２３に表示されるコンテンツに対応した所定のコンテンツ情報を受信することを指示するものである。
【００４２】
この場合、表示コンポーネント５ｂは、受信した指示にしたがってフッタ領域２４に表示させるコンテンツ情報１３ｂについてのリクエスト１６ｂを、コンテンツ提供サーバ１２に送信する（同図における（４）の矢印）。リクエスト１６ｂを受信したコンテンツ提供サーバ１２は、これに対するレスポンスとしてコンテンツ情報１３ｂを表示コンポーネント５ｂに送信する（同図における（５）の矢印）。
【００４３】
以上のように、本実施の形態に係る表示コンテンツ出力装置１１では、表示コンポーネント５ａおよび５ｂを各表示領域と対応させ、コマンドによって連携しながらそれぞれ独立してコンテンツ提供サーバ１２と通信を行い、対応付けられた領域の表示処理を実行する。これにより、表示コンポーネントを複数備えるという簡単な構成で、分割した各領域に互いに関連付けられた異なるコンテンツを表示できる。
【００４４】
上記の「連携」とは、例えば表示コンポーネント５ａが受信したコマンド１５により、表示コンポーネント５ｂが駆動されることをいう。言い換えれば、後続の表示コンポーネント（第２の表示コンポーネント）の動作は、起点となった表示コンポーネント（第１の表示コンポーネント）で受信されたコマンド１５で規定されている。そして、後続の表示コンポーネントは起点となった表示コンポーネントから連鎖的に処理が与えられ、必要な処理が内部で完結するため冗長なデータ通信が発生しない。
【００４５】
上記のように、各領域に割り当てた表示コンポーネントが互いに同期して望ましい表示処理を行うという枠組みは、領域ごとに単一の表示コンポーネントを逐次実行させるという処理を行っていた上記の従来技術とは本質的に異なる。
【００４６】
ここまでで、携帯型通信機器１００およびコンテンツ提供サーバ１２のそれぞれの位置づけと、通信システム１全体で実行される処理手順の概略を明らかにした。以下、説明の都合で、通信システム１、携帯型通信機器１００、コンテンツ提供サーバ１２の順番にそれぞれの構成を詳細に説明する。続いて、携帯型通信機器１００の外観やより詳細な構成、コンテンツ提供サーバ１２から送信されるコンテンツ情報の具体的な内容、コマンドの種類および具体例の順序でさらに詳細に説明する。
【００４７】
〔通信システム１の構成〕
図３に基づいて、本実施の形態における通信システム１の全体構成について説明する。図３は、携帯型通信機器１００とコンテンツ提供サーバ１２との関係を示すことにより、通信システム１の構成を概略的に示す説明図である。
【００４８】
図示のように、通信システム１は、携帯型通信機器１００とコンテンツ提供サーバ１２とを含む。携帯型通信機器１００とコンテンツ提供サーバ１２とは、サーバ・クライアント方式に基づく通信を行う。すなわち、上記の概要で示した通り、携帯型通信機器１００がコンテンツ提供サーバ１２へコンテンツ情報１３のリクエスト１６を送信し、コンテンツ提供サーバ１２はこれに対するレスポンスとしてコンテンツ情報１３を送信する。ここで、両者を中継する通信網１８の種類は限定されない。すなわち、通信網１８は、両者が通信可能でありさえすればよく、例えばインターネットであってもよいし、ローカルエリアネットワーク（ＬＡＮ）であってもよい。
【００４９】
〔携帯型通信機器１００の構成〕
図１に基づいて、本実施の形態に係る携帯型通信機器１００の構成の例について説明する。図１は、携帯型通信機器１００の要部構成を示すブロック図である。図示のように、携帯型通信機器１００は、表示コンテンツ出力装置１１、通信部２、表示制御部３、および表示部４を含む。なお、本実施の形態に直接関係のない部分（例えば一般的な通信機器に含まれることの多い、画像撮影や音量調整などを実現する部分）は、構成の説明およびブロック図から省略した。
【００５０】
表示コンテンツ出力装置１１は、表示コンポーネント（第１の表示コンポーネント、第２の表示コンポーネント）５を含む。また、表示コンポーネント５は、コンテンツ処理部（コンテンツ処理手段、第１のコンテンツ処理手段、第２のコンテンツ処理手段）６、コマンド処理部（第１のコマンド処理手段、第２のコマンド処理手段）７、コマンド通信部８、コンテンツ情報取得部（コンテンツ情報取得手段、第１のコンテンツ情報取得手段、第２のコンテンツ情報取得手段）９を含む。
【００５１】
以下、説明の都合で、表示コンテンツ出力装置１１（表示コンポーネント５、コンテンツ処理部６、コマンド処理部７、コマンド通信部８、コンテンツ情報取得部９）、通信部２、表示制御部３、表示部４の順序で各構成が担う機能を説明する。
【００５２】
（表示コンテンツ出力装置１１）
表示コンテンツ出力装置１１は、コンテンツ提供サーバ１２から取得したコンテンツを、携帯型通信機器１００が備える表示部４に表示する装置である。ここで、コンテンツとは、文章、画像（動画を含む）、音声（音楽を含む）など、何らかの観点から意味のある情報群をいう。
【００５３】
なお、本実施の形態では、表示コンテンツ出力装置１１が携帯型通信機器１００の内部に含まれる構成としたが、表示コンテンツ出力装置１１と携帯型通信機器１００とを通信可能にし、表示コンテンツ出力装置１１を携帯型通信機器１００の外部に設置してもよい。すなわち、携帯型通信機器１００がコンテンツ情報１３を表示コンテンツ出力装置１１へ出力し、表示コンテンツ出力装置１１が携帯型通信機器１００へ表示すべき情報を出力する構成にすれば、携帯型通信機器１００は表示コンテンツ出力装置１１を内蔵している必要はない。
【００５４】
表示コンポーネント５は、コンテンツ提供サーバ１２と通信してコンテンツ情報１３を取得し、対応付けられた表示領域にコンテンツ１４を表示する。なお、本実施の形態では、表示コンテンツ出力装置１１に表示コンポーネントが２つ（５ａおよび５ｂ）含まれる構成としたが、複数であればいくつ含まれていてもよい。また、起点となる表示コンポーネントからコマンド１５を受信して動作する後続の表示コンポーネントは、複数であってもよい。
【００５５】
コンテンツ情報取得部９は、通信部２を介してコンテンツ提供サーバ１２と通信し、コンテンツ情報１３を取得して、コンテンツ処理部６およびコマンド処理部７に出力する。
【００５６】
コンテンツ処理部６は、コンテンツ情報取得部９によって取得されたコンテンツ情報１３を解析し、これに含まれるコンテンツ１４を抽出して表示制御部３へ出力する。具体的には、例えばＨＴＭＬのレンダリングエンジンを含む、ウェブブラウザとしての機能を独立して備える構成である。
【００５７】
コマンド処理部７（コマンド処理部７ａ、第１のコマンド処理手段）は、表示コンポーネント（第１の表示コンポーネント）５で受信されたコンテンツ情報１３を解析して、これに含まれるコマンド１５を抽出し、コマンド通信部８を介して他の表示コンポーネント５へ送信する。または、（コマンド処理部７ｂ、第２のコマンド処理手段は）コマンド通信部８を介して他の表示コンポーネント（第２の表示コンポーネント）５からコマンド１５を受信し、指定された処理を実行する。
【００５８】
ここで、コマンド処理部７ａは、コマンド処理部７ｂが実行可能な形式にコマンド１５を適宜変換し、これを送信してもよい。また、表示コンポーネント５ｂのコマンド処理部７ｂ（第２の表示コンポーネントの（第２の）コマンド処理手段）は、表示コンポーネント５ａ（第１の表示コンポーネント）がコマンドを指定するためのインターフェースとして動作してもよい。この場合、表示コンポーネント５ａは当該インターフェースを介して、コマンド１５に相当する動作を表示コンポーネント５ｂに指示できる。
【００５９】
具体的には、コマンド処理部７ｂは、例えば表示コンポーネント５ｂの動作を規定するＡＰＩを用意していてもよい。このとき、表示コンポーネント５ａは、コマンド１５で指定する動作に相当するＡＰＩをコールすることで、表示コンポーネント５ｂに処理を指示し、コールを受けたコマンド処理部７ｂは指定された処理を実行する。すなわち、コマンド処理部７ａがコマンド通信部８ａを介して表示コンポーネント５ｂにコマンド１５を送信することには、コマンド処理部７ａがコマンド処理部７ｂに用意されたＡＰＩをコールすることが含まれる。コマンド１５の具体例、およびコマンド処理部７が実行する処理については、後で詳述する。
【００６０】
コマンド通信部８は、表示コンポーネント５同士でコマンド１５を送受信する。通信可能でありさえすればその形式は限定されない。
【００６１】
（通信部２）
通信部２は、所定の通信方式にしたがう通信網１８を通じて、コンテンツ提供サーバ１２等の外部の機器と通信する装置であり、例えばイーサネット（登録商標）アダプタなどで構成できる。通信を実現する本質的な機能さえ備わっていればよく、使用する電気通信回線、通信方式、または通信媒体などは限定されない。例えば、通信方式や通信媒体は、ＩＥＥＥ８０２．１１無線通信、Ｂｌｕｅｔｏｏｔｈ（登録商標）、Ｚｉｇｂｅｅ（登録商標）であってよい。
【００６２】
（表示制御部３）
表示制御部３は、コンテンツ処理部６から入力を受けたコンテンツ１４を表示信号１７に変換し、これを表示部４へ出力する。表示コンテンツ出力装置１１の内部で識別できるデータを表示部４で表示できる信号へ形式変換できるものであればよく、例えば一般的なディスプレイアダプタでよい。
【００６３】
（表示部４）
表示部４は、文字や画像などを表示する装置である。表示制御部３から入力を受けた表示信号１７を処理して表示する機能さえあれば装置の種類は限定されず、例えば液晶ディスプレイや、有機ＥＬディスプレイなどで構成できる。
【００６４】
〔コンテンツ提供サーバ１２の構成〕
図４に基づいて、本実施の形態におけるコンテンツ提供サーバ１２の構成について説明する。図４は、コンテンツ提供サーバ１２の要部構成を示すブロック図である。図示のように、コンテンツ提供サーバ１２は、制御部３０、記憶部４０、一時記憶部５０、操作部６０、および通信部８０を含み、制御部３０は、リクエスト取得部（リクエスト取得手段）３１、およびリクエスト処理部（リクエスト処理手段）３２を含む。
【００６５】
以下、説明の都合で、制御部３０（リクエスト取得部３１、リクエスト処理部３２）、記憶部４０、一時記憶部５０、操作部６０の順序で各構成が担う機能を説明する。通信部８０の機能は、前述した通信部２の機能と同じであるため説明を省略する。
【００６６】
（制御部３０）
制御部３０は、表示コンテンツ出力装置１１から受け付けたリクエスト１６を処理し、これに対応するコンテンツ情報１３を特定してレスポンスとして返すという一連の処理を制御する。
【００６７】
リクエスト取得部３１は、表示コンテンツ出力装置１１から受け付けたリクエスト１６を通信部２を介して取得し、リクエスト処理部３２に出力する。
【００６８】
リクエスト処理部３２は、入力されたリクエスト１６で指定されるコンテンツを特定し、記憶部４０から当該コンテンツに対応するデータを読み出す。そして、このデータをコンテンツ情報１３として送信するために、通信部２へ出力する。
【００６９】
（記憶部４０）
記憶部４０は、コンテンツ提供サーバ１２で実行されるプログラム４１や、クライアント（携帯型通信機器１００）からのリクエストに応答して提供するコンテンツデータ４２などを記憶するために用いる不揮発性の記憶装置であり、例えば半導体メモリ、ハードディスク、ＤＶＤ等で構成できる。なお、本実施の形態では、記憶部４０はコンテンツ提供サーバ１２に内蔵される装置として図４に示しているが、コンテンツ提供サーバ１２の外部に接続された外部記憶装置として実現されてもよい。
【００７０】
（一時記憶部５０）
一時記憶部５０は、制御部３０が処理の過程で計算した結果を一時的に記憶するために用いる記憶媒体であり、例えば半導体メモリ（ＤＲＡＭなど）で構成できる。
【００７１】
（操作部６０）
操作部６０は、ユーザ（例えばサーバの管理者）がコンテンツ提供サーバ１２に入力を与えるためのインターフェースであり、例えば一般的なキーボードやマウスなどでよい。
【００７２】
〔携帯型通信機器１００の外観〕
図５に基づいて、本実施の形態に係る携帯型通信機器１００の外観について説明する。図５は、本実施の形態に係る携帯型通信機器１００の外観例を２つ表したものである。携帯型通信機器１００ａは、表示部４、および電源スイッチ２０を含む。携帯型通信機器１００ｂは、操作スイッチ２１、およびポインティングデバイス２２をさらに含む。ユーザは、電源スイッチ２０を長押しすることで、機器の電源のオン、オフを切り替えることができる。また、短押しすることで、機器を休止状態にする、または休止状態から復帰させることができる。
【００７３】
携帯型通信機器１００ａでは表示部４にタッチパネルが備えられており、ユーザは表示部４上に表示されるソフトウェアキーなどのオブジェクトをタッチすることで機器を操作できるため、操作スイッチ２１およびポインティングデバイス２２などのハードウェアキーは備えられていなくともよい。
【００７４】
逆に、携帯型通信機器１００ｂのように、操作スイッチ２１およびポインティングデバイス２２などのハードウェアキーを備えれば、表示部４にタッチパネルが備えられていなくともよい。すなわち、ユーザはポインティングデバイス２２を動かすことにより、例えば画面の表示領域の移動操作を行える。または、操作スイッチ２１ａを押下することにより前回表示していた画面へ切り替えたり、操作スイッチ２１ｂを押下することによりメインメニューを表示するトップ画面へ切り替えたりできる。なお、タッチパネルと操作スイッチ等のハードウェアキーは両方備えられていてもよく、ハードウェアキーの種類、形状、配置、数などは特に限定されない。
【００７５】
〔携帯型通信機器１００のより詳細な構成〕
図６に基づいて、本実施の形態に係る携帯型通信機器１００のより詳細な構成の例について説明する。図６は、携帯型通信機器１００のより詳細な構成例を示すブロック図である。前述と同様に、携帯型通信機器１００は、表示コンテンツ出力装置１１、通信部２、表示制御部３、および表示部４を含み、さらに記憶部４３、一時記憶部５０、操作部６０、および音声入出力部７０を含む。
【００７６】
以下、説明の都合で、記憶部４３、操作部６０、および音声入出力部７０の順序で各構成が担う機能を説明する。上記と同様に、すでに説明した構成については、同一の符号を付すことにより重複する説明を省略する。
【００７７】
（記憶部４３）
記憶部４３は、前述した記憶部４０と同様に、携帯型通信機器１００で必要となるプログラム４４やデータ４５を記憶するための不揮発性の記憶装置である。記憶部４３も、外部記憶装置として実現されてよい。
【００７８】
（操作部６０）
操作部６０は、ユーザが携帯型通信機器１００に入力を与えるためのインターフェースであり、具体的には、例えば前述した電源スイッチ２０、操作スイッチ２１、またはポインティングデバイス２２などである（図５を参照）。あるいは、タッチパネルを備えた表示部４に表示されるソフトウェアインターフェースであってもよい。
【００７９】
（音声入出力部７０）
音声入出力部は、通話やオーディオ機能を実現するために、音声を入出力するための機器であり、例えば一般的なスピーカやマイクなどで構成できる。
【００８０】
〔表示領域の分割手順〕
表示コンテンツ出力装置１１は、コンテンツを取得すべき情報（例えば、ユーザがリンクをクリックするなど）を取得すると同時に、複数の領域に分割するための情報も取得する。表示コンテンツ出力装置１１にこれらを同時に与える方法として、例えばフッタ領域２４のサイズを、以下のようにＵＲＬのクエリとして与えることが考えられる。
（分割例１）http://www.xxxxx.co.jp/videostore?footratio=10
（分割例２）http://www.xxxxx.co.jp/videostore?height=100&width=240
すなわち、「http://www.xxxxx.co.jp/videostore」のＵＲＬ部分でコンテンツ提供サーバ１２を特定し、当該サーバに含まれるコンテンツを指定するとともに、クエリ部分で表示部４の表示領域を分割することの指定、およびフッタ領域２４のサイズを取得する。
【００８１】
上記の（分割例１）では、「footratio=10」により「フッタ領域２４の縦の長さを画面サイズの１０パーセントに設定する」ことを指示する。また、上記の（分割例２）では、「height=100&width=240」により「フッタ領域２４の縦の長さを１００ピクセル、横の長さを２４０ピクセルに設定する」ことを指示する。なお、この例では、画面の下端から指定された大きさでフッタ領域２４を配置するものとする。
【００８２】
このように、クエリとして表示コンポーネント５に領域サイズについての情報を与えることで、柔軟にサイズ指定を行える。また、リクエスト１６を送信してからコンテンツ情報１３を受信するまでに表示コンテンツ出力装置１１が画面構成を準備できるため、画面構成の変更をスムーズに行える。
【００８３】
〔コンテンツ情報の構成〕
図７に基づいて、本実施の形態におけるコンテンツ情報１３の構成について説明する。図７は、コンテンツ情報１３に含まれる内容を表した模式図である。図示のように、コンテンツ情報１３には、コンテンツ１４とコマンド１５とが含まれる。ただし、データ構造としてこれらが明確に二分されて含まれるとは限らない。例えば、コンテンツ１４がＨＴＭＬドキュメントであり、コマンド１５がこのＨＴＭＬドキュメントにスクリプト形式で含まれる場合など、両者が明確に分離されていなくともよい。
【００８４】
（コンテンツ１４）
コンテンツ１４は、表示コンポーネント５が表示領域に表示すべきコンテンツであり、例えばテキスト、画像、映像、音声、位置情報などが含まれる。
【００８５】
（コマンド１５）
コマンド１５は、表示コンポーネント５の動作を規定するものである。フッタ領域２４に対して、前述した例のようにサイズの指定がある場合、コンテンツ領域２３に対応する表示コンポーネント５ａが受信したコンテンツ情報１３には、例えば以下のようなスクリプト形式（ECMAScriptなど）でコマンド１５が含まれる。
（コマンド例１）footerMgr.loadFooter("http://www.xxxxx.co.jp/footer1.html")
（コマンド例２）footerMgr.loadMain("http://www.xxxxx.co.jp/videolist")
（コマンド例３）footerMgr.execScript("javascript:function(param)")
上記の（コマンド例１）〜（コマンド例３）は、コンテンツ領域２３に対応する表示コンポーネント５ａが、フッタ領域２４に対応する表示コンポーネント５ｂに実行させるコマンドを表す。
【００８６】
例えば、コンテンツ情報１３ａに（コマンド例１）に例示されるコマンドが含まれている場合、表示コンポーネント５ａはパラメータとして指定されたＵＲＬからコンテンツを取得し、当該コンテンツを表示することを、表示コンポーネント５ｂに指示する。
【００８７】
これとは逆に、コンテンツ情報１３ｂに（コマンド例２）に例示されるコマンドが含まれている場合、表示コンポーネント５ｂがパラメータとして指定されたＵＲＬからコンテンツを取得することを、表示コンポーネント５ａに指示する。このように、コマンドを発信する起点となる表示コンポーネントを、コンテンツの内容に合わせて変更することができるため、例えば前述した図１１（ｂ）の状態から、同図（ａ）の状態へ表示を切り替えることもできる。この例では、フッタ領域２４は非表示となる。
【００８８】
さらに、（コマンド例３）に例示されるコマンドは、表示コンポーネント５ｂにfunction(param)というスクリプト関数を呼び出すことを指示するものである。このように、任意に定義された関数を呼び出す形式でコマンドを指定することにより、表示コンポーネント５により複雑な動作を行わせることができる。
【００８９】
なお、表示コンポーネント５へ一度に与えるコマンドの数は１つに限定されない。上記のコマンド例を任意の数だけ連続して与えることもできる。
【００９０】
〔その他の変形例〕
図８に基づいて、表示画面を複数の領域に分割する他の例について説明する。図８は、前述した図１１（ｂ）とは異なる構成で分割された表示画面の一例を示す。図示のように、表示画面をコンテンツ領域２３、フッタ領域２４に加えて、さらにサイドメニュー領域（表示領域）２５を構成するよう３分割してもよい。この場合、表示コンポーネント５は、それぞれの領域に対応して３つ必要である。また、分割した領域の数や分割の態様も、２つまたは３つの領域を縦横に並べるだけに限られず、任意の数の領域を自由な形状や並べ方で分割できる。この場合、コンテンツ領域に指定される各領域のサイズ指定は、例えば縦および横の指定を双方とも行うことで可能となる（前述の（分割例２）の形式）。
【００９１】
図９に基づいて、フッタ領域２４の構成例について説明する。図９は、前述した図１１（ｂ）とは異なる構成を有するフッタ領域２４の一例を示す。図１１（ｂ）に示した例では、フッタ領域２４にアイコン２６が４つ表示されているが、図９で示す例には５つ表示されている。分割された各領域には任意のコンテンツを表示させることができるため、例えば図示のようにアイコンの数や表示内容を変更することができるなど、自由にフッタ領域２４を構成できる。また、各アイコン２６を選択したときの動作も任意に割り当てることができる。
【００９２】
〔携帯型通信機器１００が実行する処理〕
図１０に基づいて、携帯型通信機器１００およびコンテンツ提供サーバ１２が実行する処理の流れを説明する。図１０は、携帯型通信機器１００およびコンテンツ提供サーバ１２が実行する処理の一例を示すフローチャートである。
【００９３】
まず、表示コンテンツ出力装置１１がコンテンツ領域２３の表示を更新すべき信号（例えば、ユーザがリンクをクリックするなど）を検出すると、表示コンポーネント５ａは、更新に必要なコンテンツ情報を取得するためのリクエスト１６ａを、通信部２を介して指定されたコンテンツ提供サーバ１２に送信する（Ｓ１）。なお、このステップにおいて、コンテンツ領域２３が画面全体を占めるように初期化を行っておいてもよい。
【００９４】
表示を更新すべき信号にフッタ領域２４のサイズを指定する情報が含まれている場合（Ｓ２においてＹＥＳ）、表示コンポーネント５ａはコンテンツ領域２３のサイズを指定の大きさに変更した後（Ｓ３）、コンテンツ提供サーバ１２から送信されるコンテンツ情報１３ａを、通信部２を介して受信する（Ｓ４）。コンテンツ処理部６ａは、受信したコンテンツ情報１３ａを解析し、これに含まれるコンテンツ１４ａを抽出して表示制御部３に出力する。入力を受けた表示制御部３は、コンテンツ１４ａに対応する表示信号１７を表示部４に出力する。この一連の処理により、表示コンポーネント５ａは、コンテンツ領域にコンテンツ１４を表示する（Ｓ５）。
【００９５】
一方、フッタ領域２４のサイズを指定する情報が含まれていない場合（Ｓ２においてＮＯ）、表示コンポーネント５ａはコンテンツ領域２３のサイズを全画面に設定した後（Ｓ６）、コンテンツ提供サーバ１２から送信されるコンテンツ情報１３ａを、通信部２を介して受信する（Ｓ７）。表示コンポーネント５ａは、上記と同様の処理により、コンテンツ領域２３にコンテンツ１４ａを表示する（Ｓ８）。
【００９６】
領域を分割して表示する場合において、表示コンポーネント５ａがコンテンツ領域にコンテンツ１４を表示した後（Ｓ５）、コマンド処理部７ａはコンテンツ情報１３ａを解析してこれに含まれるコマンド１５を抽出し、コマンド通信部８ａを介して表示コンポーネント５ｂへ送信する（Ｓ９）。コマンド処理部７ｂは、コマンド通信部８ｂを介してコマンド１５を受信すると（Ｓ１０）、コマンド１５で指定された処理を実行する。
【００９７】
なお、上述したように、コマンド処理部７ａは、コマンド処理部７ｂが実行可能な形式にコマンド１５を適宜変換し、これを送信してもよい。また、コマンド処理部７ｂが表示コンポーネント５ｂを制御するインターフェース（例えば、ＡＰＩなど）を用意している場合、表示コンポーネント５ａは当該インターフェースを介して、コマンド１５に相当する動作を表示コンポーネント５ｂに指示できる。例えば、コマンド１５で指定する動作に相当するＡＰＩをコールすることで、表示コンポーネント５ｂに処理を指示し（Ｓ９）、コールを受けたコマンド処理部７ｂは指定された処理を実行する（Ｓ１０）。ここで説明する処理の例では、当該コマンドはフッタ領域２４にコンテンツ１４ｂを表示することが指示されているものとする（前述の（コマンド例１））。
【００９８】
表示コンポーネント５ｂは、コマンド１５の指示にしたがって、コンテンツ情報１３ｂを取得するためのリクエスト１６ｂを、通信部２を介して指定されたコンテンツ提供サーバ１２に送信する（Ｓ１１）。そして、コンテンツ提供サーバ１２から送信されるコンテンツ情報１３ｂを、通信部２を介して受信する（Ｓ１２）。表示コンポーネント５ｂは、上記と同様の処理により、フッタ領域２４にコンテンツ１４を表示する（Ｓ１３）。
【００９９】
コンテンツ提供サーバ１２は、表示コンポーネント５ａから受け付けたリクエスト１６ａを受け付け、指定されたコンテンツ情報１６ａを送信する処理を行う。具体的には、リクエスト取得部３１がリクエスト１６ａを取得し（Ｓ１４ａ）、リクエスト処理部３２がコンテンツ情報１３ａを送信する（Ｓ１５ａ）。同様に、コンテンツ提供サーバ１２は、表示コンポーネント５ｂから受け付けたリクエスト１６ｂを受け付け、指定されたコンテンツ情報１６ｂを送信する処理を行う。具体的には、リクエスト取得部３１がリクエスト１６ｂを取得し（Ｓ１４ｂ）、リクエスト処理部３２がコンテンツ情報１３ｂを送信する（Ｓ１５ｂ）。
【０１００】
〔携帯型通信機器１００の効果〕
表示画面を複数の領域に分割し、各領域に異なるコンテンツを表示できる。また、同様の機能を実現する従来の方法と比較して、必要な構成は簡単であり、冗長なデータ通信も発生しない。
【０１０１】
〔ソフトウェアによる実現例〕
最後に、表示コンテンツ出力装置１１の各ブロックは、集積回路（ＩＣチップ）上に形成された論理回路によってハードウェア的に実現してもよいし、ＣＰＵ（Central Processing Unit）を用いてソフトウェア的に実現してもよい。
【０１０２】
後者の場合、表示コンテンツ出力装置１１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである表示コンテンツ出力装置１１の制御プログラムのプログラムコード（実行形式プログラム、中間コードプログラム、ソースプログラム）をコンピュータで読み取り可能に記録した記録媒体を、上記文字入力装置１１、上記文字入力装置１２、および上記文字入力装置１３に供給し、そのコンピュータ（またはＣＰＵやＭＰＵ）が記録媒体に記録されているプログラムコードを読み出し実行することによっても、達成可能である。
【０１０３】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１０４】
また、表示コンテンツ出力装置１１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１０５】
本発明は上述した実施の形態に限定されるものではなく、請求項に示した範囲で種々の変更が可能である。すなわち、請求項に示した範囲で適宜変更した技術的手段を組み合わせて得られる実施の形態についても本発明の技術的範囲に含まれる。
【産業上の利用可能性】
【０１０６】
本発明は、コンテンツを表示する携帯型の通信機器などに適用できる。
【符号の説明】
【０１０７】
１    通信システム
５ａ  表示コンポーネント（第１の表示コンポーネント）
５ｂ  表示コンポーネント（第２の表示コンポーネント）
６ａ  コンテンツ処理部（コンテンツ処理手段、第１のコンテンツ処理手段）
６ｂ  コンテンツ処理部（第２のコンテンツ処理手段）
７ａ  コマンド処理部（第１のコマンド処理手段）
７ｂ  コマンド処理部（第２のコマンド処理手段）
９ａ  コンテンツ情報取得部（コンテンツ情報取得手段、第１のコンテンツ情報取得手段）
９ｂ  コンテンツ情報取得部（第２のコンテンツ情報取得手段）
１１    表示コンテンツ出力装置
１２    コンテンツ提供サーバ（情報提供サーバ）
１３ａ  コンテンツ情報
１３ｂ  コンテンツ情報
１４ａ  コンテンツ
１４ｂ  コンテンツ
１５ａ  コマンド
１５ｂ  コマンド
１６ａ  リクエスト（コンテンツ要求）
１６ｂ  リクエスト（コンテンツ要求）
２３    コンテンツ領域（表示領域）
２４    フッタ領域（表示領域）
２５    サイドメニュー領域（表示領域）
３１    リクエスト取得部（リクエスト取得手段）
３２    リクエスト処理部（リクエスト処理手段）
１００    携帯型通信機器（電子機器）
【図１】
2013008239.tif 000003
【図２】
2013008239.tif 000004
【図３】
2013008239.tif 000005
【図４】
2013008239.tif 000006
【図５】
2013008239.tif 000007
【図６】
2013008239.tif 000008
【図７】
2013008239.tif 000009
【図８】
2013008239.tif 000010
【図９】
2013008239.tif 000011
【図１０】
2013008239.tif 000012
【図１１】
2013008239.tif 000013